(57)【要約】      （修正有）【課題】合成樹脂による成型品等を使用せずとも収容した物品を一つずつ払出できる物品払出容器および当該物品払出容器に使用する物品払出装置を提供する。【解決手段】前方から後方に向かって下降傾斜させるとともに後端部付近に開口１３を形成した載置面７と、対向するように配置した左右一対の側壁２４と、当該両側壁２４の間において後方から前方に向かって下降傾斜した案内路２３と、当該案内路２３の先端部付近の底面に形成した物品の落下口と、当該落下口を回動によって閉塞もしくは開放する規制手段を有し、前記載置面７および案内路２３を剛性を有した一枚の紙の折り曲げによって形成するとともに、前記規制手段の回動中心となる回動部を当該同一紙の折り曲げによって形成し、前記載置面７に載置した物品を当該載置面７に形成した開口１３を介して前記案内路２３に流入させるとともに、流入した物品を前記規制手段の動作に応じて落下させる。【選択図】図１
2006302114.tif 000002
【特許請求の範囲】
【請求項１】
球状に形成された複数の物品を上方に載置し、当該載置された物品を下方より一つずつ取り出すための装置であって、
前方から後方に向かって下降傾斜させるとともに後端部付近に開口を形成した傾斜板を有する載置面と、
対向するように配置した左右一対の側壁と、当該両側壁の間において後方から前方に向かって下降傾斜した傾斜面とを有する案内路と、
当該案内路の先端部付近の底面に形成した物品の落下口と、
当該落下口の全部若しくは一部を回動によって閉塞もしくは開放する規制手段を有し、
前記載置面および案内路を少なくとも形状を保持できる程度の剛性を有した一枚の紙の折り曲げによって形成するとともに、前記規制手段の回動中心となる回動部を当該同一紙の折り曲げによって形成し、
前記載置面に載置した物品を当該載置面に形成した開口を介して前記案内路に流入させるとともに、当該案内路に流入した物品を前記規制手段の動作に応じて前記落下口より落下させることを特徴とする物品払出装置本体。
【請求項２】
前記物品払出装置本体の載置面は、当該載置面の前縁の略両端と前記開口の左右両端付近を結ぶ線をそれぞれ左右の境界線とする中央の領域に前記下降傾斜させた傾斜板を有し、
前記境界線を折曲線として屈曲させることにより、前記中央の領域に設けた傾斜板に向かって左右それぞれから下降傾斜する左右の各傾斜板を設けていることを特徴とする請求項１記載の物品払出装置本体。
【請求項３】
請求項１または２記載の物品払出装置本体を装着することにより、当該物品払出装置本体を所定の姿勢に保持する装着部と、
前記物品払出装置本体の案内路に形成した物品を落下させる落下口の下に位置する前方に向かって下降傾斜する傾斜板と、当該傾斜面の左右両側に設けられた各側壁によって構成された物品の通路となる傾斜通路と
当該傾斜通路に連通する物品の払出部を設けた基体を有することを特徴とする物品払出装置。
【請求項４】
球状に形成された複数の物品を内部に収容し、当該収容した物品を一つずつ取り出すことのできる物品払出容器であって、
立方体、多角柱体、円筒体等に形成された中空の外殻体と当該外殻体の内部に収容した物品払出装置とから構成されるものであり、
前記物品払出装置は、
対向するように配置した左右一対の側壁と、当該両側壁の間において後方から前方に向かって下降傾斜した傾斜面とを有する案内路と、
当該案内路の先端部付近の底面に形成した物品の落下口と、
当該落下口の全部若しくは一部を回動によって閉塞もしくは開放する規制手段を有し、
前記載置面および案内路を少なくとも形状を保持できる程度の剛性を有した一枚の紙の折り曲げによって形成するとともに、前記規制手段の回動中心となる回動部を当該同一紙の折り曲げによって形成し、
前記載置面に載置した物品を当該載置面に形成した開口を介して前記案内路に流入させるとともに、当該案内路に流入した物品を前記規制手段の動作に応じて落下させる物品払出装置本体と、
当該物品払出装置本体を装着することにより、当該物品払出装置本体を所定の姿勢に保持する装着部と、前記物品払出装置本体の案内路に形成した物品を落下させるための前記落下口の下に位置する前方に向かって下降傾斜する傾斜板と、当該傾斜面の左右両側に設
けられた各側壁によって構成された物品の通路となる傾斜通路と、当該傾斜通路に連通する物品の払出部を設けたものであり、
前記外殻体には、前記物品払出装置の払出部に連通し前記物品を外部に取り出すための開口である払出口と、前記物品払出装置の規制手段を操作するための操作部を出没可能とする挿通孔が形成されていることを特徴とする物品払出容器。
【発明の詳細な説明】
【技術分野】
【０００１】
本願発明は、箱等の容器内に収容設置することにより、同様に当該容器内に収容した球形状カプセルなどの物品を一つずつ払い出すことのできる物品払出装置および当該物品払出装置を内部に収容した物品払出容器に関するものである。
【背景技術】
【０００２】
従来、箱等の内部に収容した物品を取り出すことのできる装置として、押しボタンを押圧することで箱の中に収容した球状菓子を排出させる排出器が知られている（特許文献１）。
【特許文献１】意匠登録第１０４４２３２号
【発明の開示】
【発明が解決しようとする課題】
【０００３】
上記従来の排出器は、球形状の物品を一つずつ取り出すことのできる機構を有している。また、当該機構の中心となる物品を通過させるための開閉弁となる部材は、その外観形状から見て合成樹脂による成型部品であると推測される。
しかし、合成樹脂による成型部品を製造する場合には成型のための金型を作る必要があり、一般的に金型は高価なものであって当該金型代を消却する必要があることから、製品としての排出器の価格も高価にならざるを得ないものである。したがって、一度の使用で廃棄してしまうような物品払出容器としては不向きなものとなっていた。
本願発明は、上記課題に鑑み発明したものであって、製品の価格上昇の元となる合成樹脂による成型品を使用せず、さらに合成樹脂による成型品を使用せずとも物品払出容器として一つずつ収容した物品を払出する機能を備えた物品払出容器および当該物品払出容器に使用する物品払出装置を提供することを目的とするもである。
【課題を解決するための手段】
【０００４】
上記課題を解決するために本願請求項１記載の発明は下記の構成を有する。すなわち、
球状に形成された複数の物品（Ｑ）を上方に載置し、当該載置された物品を下方より一つずつ取り出すための装置であって、
前方から後方に向かって下降傾斜させるとともに後端部付近に開口（１３）を形成した傾斜板（８）を有する載置面（７）と、
対向するように配置した左右一対の側壁（２４、２５）と、当該両側壁の間において後方から前方に向かって下降傾斜した傾斜面（２６）とを有する案内路（２３）と、
当該案内路（２３）の先端部付近の底面に形成した物品の落下口（２７）と、
当該落下口の全部若しくは一部を回動によって閉塞もしくは開放する規制手段（２８）を有し、
前記載置面（７）および案内路（２３）を少なくとも形状を保持できる程度の剛性を有した一枚の紙の折り曲げによって形成するとともに、前記規制手段（２８）の回動中心となる回動部（２９）を当該同一紙の折り曲げによって形成し、
前記載置面に載置した物品を当該載置面に形成した開口を介して前記案内路に流入させるとともに、当該案内路に流入した物品を前記規制手段の動作に応じて前記落下口より落下させることを特徴とする物品払出装置本体（４）。
【０００５】
また、本願請求項２記載の発明は下記の構成を有する。すなわち、
前記物品払出装置本体（４）の載置面（７）は、当該載置面（７）の前縁（１６）の略両端と前記開口（１３）の左右両端付近を結ぶ線をそれぞれ左右の境界線（１１、１２）とする中央の領域に前記下降傾斜させた傾斜板（８）を有し、
前記境界線（１１、１２）を折曲線として屈曲させることにより、前記中央の領域に設けた傾斜板（８）に向かって左右それぞれから下降傾斜する左右の各傾斜板（９、１０）を設けていることを特徴とする請求項１記載の物品払出装置本体（４）。
【０００６】
また、本願請求項３記載の発明は下記の構成を有する。すなわち、
請求項１または２記載の物品払出装置本体（４）を装着することにより、当該物品払出装置本体（４）を所定の姿勢に保持する装着部（４５）と、
前記物品払出装置本体の案内路に形成した物品を落下させる落下口（２７）の下に位置する前方に向かって下降傾斜する傾斜板（５１）と、当該傾斜面（５１）の左右両側に設けられた各側壁（５０）によって構成された物品の通路となる傾斜通路（４４）と
当該傾斜通路（４４）に連通する物品の払出部（４９）を設けた基体を有することを特徴とする物品払出装置。
【０００７】
また、本願請求項４記載の発明は下記の構成を有する。すなわち、
球状に形成された複数の物品（Ｑ）を内部に収容し、当該収容した物品を一つずつ取り出すことのできる物品払出容器（１）であって、
立方体、多角柱体、円筒体等に形成された中空の外殻体（容器体３）と当該外殻体（３）の内部に収容した物品払出装置（２）とから構成されるものであり、
前記物品払出装置は、
対向するように配置した左右一対の側壁（２４、２５）と、当該両側壁の間において後方から前方に向かって下降傾斜した傾斜面（２６）とを有する案内路（２３）と、
当該案内路（２３）の先端部付近の底面に形成した物品の落下口（２７）と、
当該落下口の全部若しくは一部を回動によって閉塞もしくは開放する規制手段（２８）を有し、
前記載置面（７）および案内路（２３）を少なくとも形状を保持できる程度の剛性を有した一枚の紙の折り曲げによって形成するとともに、前記規制手段（２８）の回動中心となる回動部（２９）を当該同一紙の折り曲げによって形成し、
前記載置面に載置した物品を当該載置面に形成した開口を介して前記案内路に流入させるとともに、当該案内路に流入した物品を前記規制手段の動作に応じて落下させる物品払出装置本体（４）と、
当該物品払出装置本体（４）を装着することにより、当該物品払出装置本体（４）を所定の姿勢に保持する装着部（４５）と、前記物品払出装置本体（４）の案内路（２３）に形成した物品を落下させるための前記落下口（２７）の下に位置する前方に向かって下降傾斜する傾斜板（５１）と、当該傾斜面（５１）の左右両側に設けられた各側壁（５０）によって構成された物品の通路となる傾斜通路（４４）と、当該傾斜通路（４４）に連通する物品の払出部（４９）を設けたものであり、
前記外殻体（３）には、前記物品払出装置（２）の払出部に連通し前記物品を外部に取り出すための開口である払出口（７６）と、前記物品払出装置の規制手段（２８）を操作するための操作部（３６）を出没可能とする挿通孔（７５）が形成されていることを特徴とする物品払出容器（１）。
【発明の効果】
【０００８】
本願発明に係る物品払出装置本体及び物品払出装置は、物品を載置し当該載置した物品を一つずつ分離して取り出す機構を備えた装置であるが、合成樹脂や金属部品等を使用していないという特徴を有するものである。すなわち、厚紙が備える剛性を利用して物品を挿通させる開口部（落下口）を形成するとともに、当該開口部を介した物品の通過を任意に許容および制限するための機構も、当該開口部を形成した部位近傍の厚紙の屈曲部を利用しているものであるから、合成樹脂や金属部品等を使用することがないという効果を有している。
また、合成樹脂等を使用した場合には、払い出す物品の外径に応じて金型を形成する等
製造コストが高価なものとなってしまう。しかし、本願発明に係る物品払出装置は、厚紙の切り抜きと折り曲げによって形成したものであるので、仕様を変更する場合にも製造コスト等が安価であるという効果を有している。
【０００９】
本願発明に係る物品払出容器は、物品を搬送するための容器と物品を払い出すための装置とを兼ね備えた容器である。したがって、物品を別の装置に入れ替えたり、物品内容を広告する内容の用紙を付け替えたりという作業を要さず、そのまま使用できるという効果を有している。
また、容器自体も所定形状に裁断されたシートを組み立てたものであるから、シートの段階での印刷はきわめて容易であり、容器自体にも様々な印刷を施すことが出来る。したがって、収容する物品に合わせた印刷内容の変更を低価格およびきわめて容易に行うことができるという効果を有している。
【発明を実施するための最良の形態】
【００１０】
以下、本願発明の一実施の形態に係る物品払出装置および物品払出容器を図面に基づいて説明する。図１は、本願発明に係る物品払出容器の斜視図であり、図２は当該物品払出容器の一部を構成する物品払出装置の分解斜視図である。
図３乃至図５は、物品払出装置を構成する用紙の裁断形状（型抜紙）を表したものであるが、同各図において実線で表示した線は切断線を表し、点線で表示した線は折り曲げ部位を表す折曲線を表している。
また、以下の説明において、「前」「後」「左」「右」等の方向や部位を示す用語を使用するが、「前」とは収容した物品を払出する操作をする側（図１、図２における左下側）をいい、「後」とは当該物品払出操作をする側とは反対の側（図１、図２における右上側）、「左」とは物品払出操作を行う側から見て左側（図１、図２における左上側）、「右」とは物品払出操作を行う側から見て右側（図１、図２における右下側）をいうものとする。
【００１１】
図１において、１は物品払出容器を示しており、当該物品払出容器１は物品を払出する機構を備えた物品払出装置２と当該物品払出装置２を内部に収容する容器体３とから構成されている。本実施の形態における物品払出容器１は、直径が約３３ｍｍの物品を約１００個程度収容できるものを想定して形成したものである。しかし、物品の大きさや収容する個数は固定的なものではなく、要求される仕様に基づいて適宜変更されるものであり、当該仕様の変更に基づいて、以下に説明する図面等に記載した形状も適宜変更されるものである。
はじめに、物品払出装置（以下「装置」という）２について説明する。当該装置２は、主な構成として、物品払出装置本体（以下「装置本体」という）４と当該装置本体４を支持等するための基体５とから構成されている。本実施の形態における装置２は、厚さ１．２ｍｍ程度の厚紙によって形成されたものであるが、当該寸法に限られるものではなく、ダンボールを用いて形成されたものであっても構わない。
【００１２】
本実施の形態における装置本体４は、１枚の厚紙を所定の形状に裁断するとともに所定位置に型押しによって折り曲げ線を付けたシート６（図３参照）を形成し、当該シート６を折り曲げて立体的に構成したものである。
装置本体４は、シート６の折り曲げによって、その上面となる部位に物品Ｑを複数積層するための載置面７を形成している。当該載置面７は、物品を一方向へ誘導するように、紙の折り曲げによって形成された３つの異なる傾斜板（中央傾斜板８、左傾斜板９、右傾斜板１０）を有している。
中央傾斜板８は、前方から後方に向かって５度乃至１０度の角度で下降傾斜する傾斜面を構成するものであり、さらに、左傾斜板９および右傾斜板１０との境界線となる折曲線１１、１２によって、前方から後方に向かって幅細となるような形状に形成されたもので
ある。中央傾斜板８の前縁部の幅は、装置本体４の横幅とほぼ一致する程度の寸法に形成され、後端縁部分の幅は、中央傾斜板８の後端部に形成した開口１３の横幅よりわずかに大きい程度の寸法に形成されている。
【００１３】
左傾斜板９と右傾斜板１０はともに三角形の板状に形成されており、中央傾斜板８の側縁となる折曲線１１、１２を共通の側縁として、中央傾斜板８に対して所定の角度を成すように折り曲げたものである。左傾斜板９の外縁となる左側縁１４と右傾斜板１０の外縁となる右側縁１５は、中央傾斜板８に対して左傾斜板９と右傾斜板１０を上方に折り曲げるた際、平面視（上から見た方向）において平行となるように形成されている。
また、中央傾斜板８の前縁１６と後縁（折曲線１７）も共に平行を成すように形成されており、当該前縁１６および折曲線１７と折り曲げ後の前記左側縁１４および右側縁１５は平面視において四角形状を成し、前記容器体３の内側形状とほぼ一致するように形成されている。
上記の構造により、容器体３内に収容した物品Ｑは、容器体３内において装置本体４の載置面７上に積層載置されることになり、中央傾斜板８、左傾斜板９および右傾斜板１０の傾きによって、載置した物品を前記開口１３へ誘導するようになっている。
【００１４】
次に開口１３の形状について説明する。当該載置面７に設けられた開口１３は、折曲線１７から約１０ｍｍ程度前方の位置において、前記折曲線１７と平行な開口縁（後部開口縁１９）を有している。当該後部開口縁１９の中央には、浅い円弧状の凹部１８が設けられている。
物品を供給する観点から考えると、物品の流れの途中に障害となるような部位がないのが望ましく、後部開口縁１９が折曲線１７一致するのが望ましい。しかし、このようにすると、折り曲げによる剛性が得られなくなって装置本体４の強度が著しく低下してしまうので、強度を維持すべく所定の幅を残している。また、後部開口縁１９と折曲線１７間の幅は、球形の物品が留まらないように、物品の半径以下の寸法に設定されている。当該幅が物品の半径以下の寸法であれば、物品の移動が完全に妨げられることはなく乗り越えることができるからである。さらに、後部開口縁１９の中央に、円弧状の凹部１８を設けることにより、少なくとも中央部分には移動する物品の流れを阻害する部位を設けないようにしている。当該凹部１８の円弧の半径は、物品の半径以上である。
【００１５】
また、開口１３の左右の各開口縁（左開口縁２０、右開口縁２１）も、各折曲線１１、１２との間隔が物品の半径以下の寸法となるように設定されている。これは、前記後部開口縁１９と同様に、左開口縁２０と折曲線１１および右開口縁２１と折曲線１２との間隔を物品の半径以下の寸法とすることにより、強度を保持するとともに物品の移動を妨げないようにするためである。
また、開口１３の前部開口縁２２は、後部開口縁１９と平行に設けられている。前部開口縁２２と後部開口縁１９の凹部１８の頂点部（折曲線１７との接点部）との間隔Ｌは、物品の直径の２倍よりも大きく、かつ略２．５倍以下の寸法となっている。物品の直径の２倍よりも大きくしたのは、後部開口縁１９と前部開口縁２２との間で物品が重なり合うことにより、物品同士が支え合って落下しなくなる現象を防ぐためである。また、２．５倍以下の寸法としたのは、載置面７によって、載置面７の裏面に設けた案内路２３を覆う部分を長くするためである。
【００１６】
前記案内路２３は、前記載置面７に設けた開口１３を介して物品を受け入れ、当該物品を前方に誘導する通路である。案内路２３は、左右の側壁２４、２５と、当該両側壁２４、２５の間において後方から前方に向かって下降傾斜する傾斜面２６によって構成されている。当該案内路２３も、シート６の折り曲げによって形成されたものであり、幅および高さは、物品の直径の略１．５倍以下の寸法であるとともに、一個の物品が余裕を持って通過できる程度の遊度を有する寸法に形成されている。
前記案内路２３の先端側の底面には、物品を落下させるための開口である落下口２７が設けられるとともに、当該落下口２７を介した物品の落下を回動によって閉塞もしくは開放する規制手段２８が設けられている。本実施の形態においては、落下口２７と規制手段２８は、シート６の同一部位の切り抜きおよび折り曲げによって形成されている。
【００１７】
前述の通り、規制手段２８は案内路２３の先端部付近において回動可能に形成されており、当該回動部２９はシート６に対する折り曲げ部となっている。すなわち、機械的な軸受け手段や、蝶番等を使用せず、剛性を有する用紙の屈曲を利用して回動部を形成したものである。当該回動部２９は、略案内路２３の高さと同程度の寸法分、前端縁から後方に向かった位置に２カ所設けられている。
また、落下口２７は後方側に半円部を有したＵ字形状を成しており、前記回動部２９となる折り曲げ部位の端を起点として、後方側に向かって切り抜いて形成したものである。当該Ｕ字形状に切り抜かれた後の孔が物品の落下口２７になるとともに、当該Ｕ字形状に切り抜いた舌片状の部分が前記落下口２７に対する物品の流入を一時的に制限する制限部材３０となっている。当該制限部材３０の先端付近には、一対の切り込み３１が設けられている。当該切り込み３１は、制限部材３０を前方側に付勢する輪ゴムをかける部位となっている。
【００１８】
前記回動部２９を中心とした制限部材３０の反対側には、長方形状の板状片である回動板３２が設けられている。当該回動板３２は、前記制限部材３０と同一面を成す一枚の板状体であり、両者の略中間位置に設けられた回動部２９を中心として、両者は連動して回動するように形成されている。
当該回動板３２には、２本のスリット３３が形成されており、当該スリットに３３に図５（ａ）に示した細幅の型抜紙Ａを中央より折り曲げて端部３４を差し込むことで三角柱状の部位を形成している。当該三角柱状の部位が、前記落下口２７を介して落下しようとする物品との当接部３５となっており、物品と当接して物品の落下を制限するとともに使用者の操作によって物品の落下を許容する部位となっている。
当該落下口２７を介した物品の落下を制限する規制手段２８は、使用者によって押圧可能な操作部３６を備えた移動体３７の一部と当接することにより回動し、物品の落下を制限もしくは許容するようになっている。
【００１９】
前記移動体３７は、図５（ｂ）に示した形状の型抜紙Ｂと型抜紙Ｃによって形成されたものであり、型抜紙Ｂを折り曲げることにより細長い棒状の操作部３６と、型抜紙Ｃの装着部位を形成し、当該型抜紙Ｂの装着部位に型抜紙Ｃを装着したものである。当該移動体３７の棒状に形成された操作部３６は、一端が使用者によって押圧される押圧部位となり、当該押圧部位と反対側の端部が規制手段２８の制限部材３０と当接する当接部３８となっている。
型抜紙Ｂに装着される型抜紙Ｃは、長方形の板状片であり、前記当接部３８付近から後方に向かって設けられた型抜紙Ｂの支持片３９に取り付けられ、当該型抜紙Ｃの長手方向の端部４０が前記開口１３の前方側の一部に可変的に突出するようになっている。
前記移動体３７は、前記棒状の操作部３６を挿通可能に支持する挿通孔４１を有した支持体４２によって支持されている。当該支持体４２は、図５（ｃ）に示した形状の型抜紙Ｄと型抜紙Ｅによって形成されたものである。
【００２０】
前記装置本体４と支持体４２は、図６に示した形状の型抜紙によって形成された基体５に取り付けられるようになっている。
基体５は、一枚の紙の折り曲げによって形成されたものであるが、主な構成として前面板４３と、前記落下口２７から落下した物品を前方に転動させる傾斜通路４４を有したものである。
第１に、前面板４３には装置本体４の取り付け部となる４カ所のスリット４５が設けら
れている。当該スリット４５に装置本体４の前方に突出させて設けた４つの突片４６を差し込むことにより、前面板４３に対して装置本体４が固定されるようになっている。
第２に、前面板４３には、支持体４２を装着するとともに、移動体３７の棒状に形成された操作部３６を挿通させる角孔４７が設けられている。前記支持体４２の挿通孔４１部分には前方に突出した２つの突片４８が設けられており、当該突片４８を角孔４７の内縁に差し込んで係合させることにより前面板４３に対して支持体４２が固定されるようになっている。当該支持体の固定によって、角孔４７を介して操作部３６が往復動可能に突出するようになっている。
第３に、前面板４３の下端中央には、物品の挿通を可能とする大きさの開口（払出口４９）が形成されている。
【００２１】
前記払出口４９の内部には、当該払出口４９に通じる傾斜通路４４が設けられている。当該傾斜通路４４は、前面板４３と一体を成すシートの折り曲げによって形成したものであり、左右の各側壁５０と当該左右の各側壁５０に囲まれた傾斜面５１によって構成されたものである。
左右の各側壁５０は、前面板４３と折り曲げ線を介して繋がる底面板５２の左および右の部分を折り曲げて立ち上げ、当該底面板５２と折り曲げ線を介して繋がる背面板５３を介して繋がる傾斜板５４に設けた２本のスリット５５に左右の各側壁５０を差し込むことにより、立設した状態を保持するようになっているものである。
傾斜板５４の先端には、２つの突片５６が設けられており、当該突片５６を前面板４３と底面板５２の折り曲げ線部分に設けたスリット５７に差し込むことで、底面板５２に対して傾斜板５４を固定するようになっている。
【００２２】
前記左右の側壁５０の頂部には、円弧状の端縁５５が上方に突出するように設けられている。当該端縁５５は、前述した案内路２３を構成する傾斜面２６の裏面と当接することにより傾斜面２６を支え、傾斜面２６が下方へ変形するのを防止している。
傾斜面２６は、図５に示したシート６の切り込みによって、先端の端縁のみを残した状態で細長の形状に切り抜いたものである。また、当該傾斜面２６の後端縁には、左右方向に突出させた突状片５７が設けられている。当該突状片５７は、シート６を折り曲げて装置本体４を構成した際に、案内路２３を構成する左側壁２４の後端と右側壁２５の後端にそれぞれ形成した段部５８、５９の上に持ち上げられた状態で載置されるようになる部位である。当該構成により傾斜面２６は所定の傾斜角度を維持するようになっている。
【００２３】
さらに、図３に記載したシート６の展開図を用いて装置本体４の説明を行う。シート６は、大まかに載置面７を構成する中央傾斜板８と当該中央傾斜板８に連結された左傾斜板９と右傾斜板１０からなる上面部分、載置面７の裏面部に位置する回動板３２や傾斜面２６を設けた下層板６０、当該下層板６０の後端と前記中央傾斜板８の後端を連結する長方形状の縦板６１、さらに当該下層面６０の左右両端に連結された案内路２３の側壁を形成するとともに装置本体４の剛性を高め、かつ基体５への取り付け部位を形成する側面板６２、６３とから構成されている。
前記長方形状の縦板６１は、中央傾斜板８と下層板６０との間隔を保持する役割を果たすとともに、長手方向側の両端縁６４は装置本体４を箱１０内に収容した際の、当該箱１０内における位置決め手段として作用するものである。両端縁６４の左右方向の位置決めによって、箱１０の内壁と接した状態で傾斜する左傾斜板９と右傾斜板１０の傾斜角度を保つことができるようになっている。
【００２４】
また、各側面板６２、６３は、それぞれ角筒状に折り曲げることにより、装置本体４の剛性を高める作用を有する。当該側面板６２、６３の固定は、左側壁２４と右側壁２５を構成する板状部の長手方向の側縁中央に設けた突片６５を、下層板６０に設けたスリット６６に差し込むことにより行われるようになっている。
また、このように形成された側面板６２、６３による角筒の上面（載置面７に面した面）は、案内路２３側に向かって下降傾斜するようになっている。これは、物品の詰まりを軽減するために載置面７の開口１３を横方向に長く形成していることに関連して、開口１３の左開口縁２０もしくは右開口縁２１付近を通過した物品を、案内路２３内に誘い込むことを目的としたものである。
また、側面板６２、６３の案内路２３の左側壁２４と右側壁２５に相当する部分には、前端縁部分から後方に向かってそれぞれスリット６６が設けられている。当該スリット６６には、前記支持体４２の左右両側に向かって翼状に張り出した張り出し片６７が差し込まれるようになっている。
【００２５】
前述した通り、支持体４２は、図５（ｃ）に示した形状の型抜紙Ｄと型抜紙Ｅによって形成されたものであり、当該各型紙の組み合わせによって、基体５に対する取り付け部と、移動体３７の棒状の操作部３６を挿通可能に支持する挿通孔４１を形成したものである。
支持体４２を構成する型抜紙Ｄは長方形状の板状体であり、長手方向に直交する方向の中央部に一対のスリット６８を有し、当該一対のスリット６８から左右両端にかけた部分を前記張り出し片６７としたものである。
型抜紙Ｅは、前記操作部３６の角棒状の外形をガイドする断面四角状の挿通路を形成するために、中央に操作部３６の下面および左右両面と当接する摺接面６９と、当該摺接面６９から左右方向にそれぞれ形成された帯状片７０を有している。当該左右の各帯状片７０は、型抜紙Ｄの一対のスリット６８にそれぞれ差し込まれた後、張り出し片６７に沿って折り曲げられ、当該張り出し片６７とともに案内路２３の左側壁２４および右側壁２５に形成されたスリット６６に差し込まれ、前面板４３との間で接着剤等の固定手段を要することなく取り付けられている。
【００２６】
移動体３７は、弾性部材によって前方に付勢されている。本実施の形態では、当該弾性部材として、輪ゴム７１を用いている。当該輪ゴム７１の一端は、規制手段２８の制限部材３０と当接する移動体３７の当接部３８の上部分に掛けられ、他端は支持体４２の突片４８の一つに掛けられている。当該構造によって、移動体３７は常に前方に付勢された状態になっており、移動体３７は操作部３６である角柱部分が押されることにより輪ゴムの弾性に抗して後方に移動し、操作部３６の押し動作をやめることにより輪ゴム７１の弾性により前方に戻るようになっている。
【００２７】
また、規制手段２８の制限部材３０も弾性部材によって前方に付勢されている。規制手段２８は、物品に対して下側から当接する当接部３５と前方側から当接する制限部材３０とを有し、これらは回動部２９を中心として１８０度反対側の位置となる部位に設けられている。すなわち、規制手段２８は、制限部材３０が後方に向かって回動すると当接部３５は前方に向かって回動し、制限部材３０が後方から前方に向かって回動すると当接部３５は前方から後方に向かって回動する。
制限部材３０には、２カ所の切り込み３１が設けられており、当該切り込み３１を利用して弾性体としての輪ゴム７２の一端を掛け、当該輪ゴム７２の他端を前記輪ゴム７１と同様に支持体４２の突片４８の一つに掛けている。当該構造により、制限部材３０は常に輪ゴム７２によって前方に付勢されており、当該制限部材３０に対する付勢によって当接部３５は後方に向かって回動する方向に付勢されている。また、制限部材３０は、輪ゴム７２の作用によって常に規制手段２８の当接部３５に押しつけられているので、規制手段２８は制限部材３０が当接部３５と当接した位置を初期位置として姿勢が保持されるようになっている。
【００２８】
以上説明した装置本体４は、立方体状の紙製の箱として形成された容器体３内に収容されるようになっている。
装置本体４の外形は、容器体３の内側形状とほぼ合致する形状および寸法で形成されている。本実施の形態では、直径が約３３ｍｍの物品を約１００個程度収容できるものを想定したものであるので、容器体３内に収容した装置本体４の載置面７の上に収容される物品の個数が約１００個となるように、容器体３の容積が決められている。
容器体３の前面壁７３には、上半部分に形成した３つの開口７４と、中央付近に形成した１つの角孔７５と、下端中央に形成した開口７６が設けられている。３つの開口７４は、装置本体４の載置面７上にある物品の残量や状態を外部から除くための窓であり内面側から透明のシートが貼られているものである。また、中央付近に形成した角孔７５は操作部３６を挿通させるための孔であり、下端中央の開口７６は基体５の払出口４９と同様に物品を払出させるための払出口となっている。
【００２９】
本実施の形態に係る容器体３は、ごく普通の紙製の箱であるから、折り曲げ前のシートの段階で、一般的な印刷機を用いた印刷手法によって印刷を行うことができる。本実施の形態における容器体３は、厚さ１．８ｍｍ程度のダンボールによって形成されたものであるが、当該寸法に限られるものではなく、厚紙によって形成されたものであっても構わない。
なお、容器体３は立方体形状に限ることなく、六角柱形状であったり、円柱形状にする等種々の形状の容器とすることができる。この場合には、基本的な動作機構はそのままにして、装置本体４の載置面等の形状を変えることにより六角柱形状や円柱形状等の種々の形状の物品払出容器を作ることが出来る。
【００３０】
図７、図８は、容器体３内に装置本体４と物品を収容し、操作部３６を押して物品を払い出す様子を表したものである。以下図８に示した断面図に基づいて、物品の払い出し動作の説明を行う。
図８（ａ）は、容器体３内に球形の物品Ｑを収容し、外部からは何も操作をしていない状態を表している。当該状態は、載置面７から開口１３を介して供給された物品Ｑが、案内路２３内で一列に整列している状態である。案内路２３の先端には落下口２９が設けられており、案内路２３の先頭に位置する物品は、当該落下口２９の途中で当接部３５によって落下を妨げられている。
【００３１】
図８（ｂ）は、操作部３６を押した場合の物品の流れを表している。操作部３６が押されると、規制手段２８の当接部３５が前方に回動して落下口２９より案内路２３内の先端に位置する物品を落下させる。また、規制手段２８は当該物品を落下させるとともに、制限部材３０を後方に回動させて、案内路２３内の先端から２番目に位置している物品の前進を妨げるようになっている。当該作用により、操作部３６が押されると、物品が一つだけ払い出されるとともに、落下口２９への物品の流入を防ぐようになっている。
また、操作部３６が押されると、同時に型抜紙Ｃによって構成された板状片７７が、載置面７の開口１３の一部を前方側から出没するようになっている。当該板状片７７は、当該開口１３の閉塞動作および解除動作により開口１３付近に積層されている物品を攪拌して詰まりにくくする作用を有する。また、板状片７７が後方に移動することにより、案内路２３の上方を覆っている部分を長くすることができる。案内路２３内では、物品の安定した落下動作を得るために物品は一列に並んでいることと、当該一列に並んでいる距離が長いほうが望ましい。当該観点から、板状片７７を後方に移動させることにより物品を開口１３の後端側から案内路２３内に落下させるようにしている。
【００３２】
図８（ｃ）は、案内路２３の先頭の物品を落下口２７から落下させて開口７６より取り出した後、押圧していた操作部３６を戻した状態を表している。この状態は、図８（ａ）に示した状態と同様に、案内路２３内で物品を一列に整列させ、次の操作部３６の操作を待機している状態である。
以上説明したように、本願発明に係る物品払出装置は、容器体内に収容して使用するこ
とで、収容した物品を一つずつ払い出すことができる物品払出容器を構成することができるものである。また、本願発明に係る物品払出容器は、物品を搬送するための容器に物品の払い出し機能を持たせることにより、物品の詰め替え等を不要とするような用途に適したものであり、かつ、大部分を紙によって構成しており、物品をすべて払い出した後はリサイクル資源として回収可能なものとなっている。
【００３３】
以上説明した物品払出容器は、図示したように立方体形状を成すとともに、操作部と物品の払出口を同一面である前面に形成したものである。しかし、本願発明は当該形態の容器に限られるものではない。すなわち、容器体の形状は六角柱や円筒形状等の種々の形状としてもよく、前面から操作して後方や側方から物品を払出するように構成しても良い。
また、物品払出容器に用いる装置本体は、その外形部分を容器体の形状に合わせて変えることができる。すなわち、装置本体の外径形状を六角形や円形とすることにより、六角柱や円筒形状に形成した容器に収容することができ、これにより六角柱や円筒形状の物品払出容器を提供することができる。
さらに、本実施の形態においては、押すことによって物品を払出する例を説明したが、用紙の切り抜きと折り曲げによって構成した前記規制手段を駆動させるものであれば、当該例には限らないものである。すなわち、紐等で引っ張ることにより規制手段を駆動させてもよいし、別途回動手段等を設けて当該回動手段の動作によって規制手段を駆動させてもよく、何れも本願発明の技術的思想の範囲に含まれるものである。
【図面の簡単な説明】
【００３４】
【図１】本願発明に係る物品払出装置および容器体の外観斜視図である。
【図２】本願発明に係る物品払出装置の分解斜視図である。
【図３】本願発明に係る物品払出装置の一部を構成する型抜紙の展開図である。
【図４】本願発明に係る物品払出装置の一部を構成する型抜紙の展開図である。
【図５】本願発明に係る物品払出装置の一部を構成する型抜紙の展開図である。
【図６】本願発明に係る物品払出装置の移動体部を表す斜視図である。
【図７】本願発明に係る物品払出容器の動作説明図である。
【図８】本願発明に係る物品払出装置の動作内容を説明するための断面図である。
【符号の説明】
【００３５】
１  物品払出容器
２  物品払出装置（装置）
３  容器体
４  物品払出装置本体（装置本体）
５  基体
６  シート
７  載置面
８  中央傾斜板
９  左傾斜板
１０  右傾斜板
１１、１２  折曲線
１３  開口
１４  左側縁
１５  右側縁
１６  前縁
１７  後縁（折曲線）
１８  凹部
１９  後部開口縁
２０  左開口縁
２１  右開口縁
２２  前部開口縁
２３  案内路
２４  左側壁
２５  右側壁
２６  傾斜面
２７  落下口
２８  規制手段
２９  回動部
３０  制限部材
３１  切り込み
３２  回動板
３４  端部
３５  当接部
３６  操作部
３７  移動体
３８  当接部
３９  支持片
４０  端部
４１  挿通孔
４２  支持体
４３  前面板
４４  傾斜通路
４５  スリット
４６  突片
４７  角孔
４８  突片
４９  払出口
５０  左右の側壁
５１  傾斜面
５２  底面板
５３  背面板
５４  傾斜板
５５  スリット
５６  突片
５７  突状片
５８  段部
５９  段部
６０  下層面
６１  縦板
６２  側面板
６３  側面板
６４  端縁
６５  突片
６６  スリット
６７  張り出し片
６８  スリット
６９  摺接面
７０  帯状片
７１  輪ゴム
７２  輪ゴム
７３  前面壁
７４  開口
７５  角孔
７６  開口
７７  板状片
【図１】
2006302114.tif 000003
【図２】
2006302114.tif 000004
【図３】
2006302114.tif 000005
【図４】
2006302114.tif 000006
【図５】
2006302114.tif 000007
【図６】
2006302114.tif 000008
【図７】
2006302114.tif 000009
【図８】
2006302114.tif 000010